(57)【特許請求の範囲】
【請求項１】
薄板状をなす蓋本体の外周縁全体に嵌着して蓋本体の周縁部を落下衝撃等から保護すると共に、蓋本体が施蓋時において浴槽上で滑動するのを防ぐエッジプロテクターにおいて、当該エッジプロテクター本体の長手方向外縁部にヒレを連続して突成し、且つ当該ヒレの先端縁に膨出部を連続して形成し、当該膨出部を施蓋時に浴槽の上面に当接させるようになしたことを特徴とするエッジプロテクター。
【請求項２】
合成樹脂発泡体のような断熱芯材の表裏両面に化粧板を貼設すると共に、外周縁全体にエッジプロテクターを嵌着してなる浴槽蓋において、前記エッジプロテクターの長手方向外縁部にヒレを連続して突成し、且つ当該ヒレの先端縁に膨出部を連続して形成し、当該膨出部を施蓋時に浴槽の上面に当接させるようになしたことを特徴とする浴槽蓋。
【発明の詳細な説明】
【技術分野】
【０００１】
本発明は蓋本体の周縁部に嵌着するエラストマーないし軟質合成樹脂製のエッジプロテクター及び当該エッジプロテクターを用いた浴槽蓋に関する。
【背景技術】
【０００２】
浴槽内の湯の保温能力を高めるには、浴槽本体の断熱性能の向上を図るのは勿論のこと、浴槽の上面を覆う浴槽蓋においても特に高い断熱性能が要求されるようになってきている。
【０００３】
２枚一組、あるいは３枚一組というように複数枚の薄板状パネルを組み合わせて使用する組合せ式等の浴槽蓋においては、従来、断熱性能を高めるため、次に示す特許文献にも記載されているように、合成樹脂発泡体等からなる断熱芯材の表裏両面に、硬質のポリプロピレン樹脂、あるいはアルミニウム薄板等によって作成された化粧パネルを積層一体化させて蓋本体を形成し、当該蓋本体の周縁部に滑り止め効果を有するエラストマー製ないし軟質合成樹脂製のエッジプロテクターを嵌め付けて構成したものが一般に市販されている。
【特許文献１】特開平１１−３２９３０公報
【発明の開示】
【発明が解決しようとする課題】
【０００４】
外周縁全体にエッジプロテクターを嵌着した浴槽蓋の場合、浴槽本体のフランジ部上面が水平を保持しており、且つ蓋本体のエッジプロテクターもその長手方向に沿って水平状態を保持しているものであれば、施蓋状態において両者間に隙間が生ぜず、湯気の散逸を防ぐことができる。
【０００５】
しかしながら、従来のエッジプロテクターは前記した特許文献にも開示されているように、内側には蓋本体の周縁部を抱き込む凹所が形成され、外側は単純に浴槽本体のフランジ部上面に当接する厚肉部が形成されているだけのものであり、浴槽本体のフランジ部上面が水平状態を保持するものであったとしても、蓋本体のエッジプロテクターの当接面を水平に保持するのは不可能であるか、あるいは非常に困難なことであった。
【０００６】
そのため、施蓋状態において、浴槽本体のフランジ部上面とエッジプロテクターの間には全体を通じて何箇所かの隙間が生ずるのが常であり、この隙間を通じて外気が取り込まれることにより湯温の低下を招来するという問題点があった。
【０００７】
したがって、本発明の目的は、浴槽本体のフランジ部の上面に蓋本体を被せた状態においてエッジプロテクターと浴槽上面との間に隙間が生ずるようなことがなく、湯温の低下を有効に防止することができるようになしたエッジプロテクター及び当該エッジプロテクターを用いた浴槽蓋を提供することにある。
【課題を解決するための手段】
【０００８】
上記目的を達成するための本発明の構成を詳述すれば、請求項１に係る発明は、薄板状をなす蓋本体の外周縁全体に嵌着して蓋本体の周縁部を落下衝撃等から保護すると共に、蓋本体が施蓋時において浴槽上で滑動するのを防ぐエッジプロテクターにおいて、当該エッジプロテクター本体の長手方向外縁部にヒレを連続して突成し、且つ当該ヒレの先端縁に膨出部を連続して形成し、当該膨出部を施蓋時に浴槽の上面に当接させるようになしたことを特徴とするエッジプロテクターである。
【０００９】
請求項２に係る発明は、合成樹脂発泡体のような断熱芯材の表裏両面に化粧板を貼設すると共に、外周縁全体にエッジプロテクターを嵌着してなる浴槽蓋において、前記エッジプロテクターの長手方向外縁部にヒレを連続して突成し、且つ当該ヒレの先端縁に膨出部を連続して形成し、当該膨出部を施蓋時に浴槽の上面に当接させるようになしたことを特徴とする浴槽蓋である。
【発明の効果】
【００１０】
本発明によれば、エッジプロテクターの長手方向外縁部にヒレを突成してあると共に、当該ヒレの先端縁に膨出部を連続して形成してあるので、当該膨出部が僅かではあるが重錘の作用をなし浴槽本体のフランジ部上面に良好に密着し、隙間の発生を完全になくすことができる。したがって、浴槽蓋本体の断熱性能向上に多大な効果を奏する。
【発明を実施するための最良の形態】
【００１１】
以下、図面に基づき本発明に係るエッジプロテクター及び当該エッジプロテクターを用いた浴槽蓋の実施形態を詳細に説明する。
【００１２】
図１は本発明浴槽蓋の一実施形態を示す部分斜視図、図２は図１のＡ−Ａ線断面図、図３はエッジプロテクターの他の実施形態を示す断面図、図４はヒレ付きエッジプロテクターを用いた浴槽蓋の使用例を示す断面図、図５はヒレの先端に膨出部を形成したエッジプロテクターを用いてなる浴槽蓋の使用例を示す断面図である。
【００１３】
図中１は組合せ蓋等をなす薄板状の蓋本体を示し、２は当該蓋本体１の外周縁全体に嵌め付けた滑り止め効果を有するエラストマー製ないし軟質合成樹脂製のエッジプロテクターである。
【００１４】
蓋本体１は図示する実施形態の場合、合成樹脂発泡体のような高い断熱性能を示現する断熱芯材３の表裏両面に、アルミニウム薄板、あるいは硬質ポリプロピレン樹脂等によって作製された美麗な表面を有する化粧板４，４を接着等の手段で貼設一体化してなるものであるが、本発明を実施する対象としての浴槽蓋はこれに限定されるものではなく、全体として薄板状をなし、浴槽蓋として要求される断熱性能ないし耐熱性を具備するものであれば、積層構造以外のものであってもよいのは勿論である。
【００１５】
エッジプロテクター２は前記蓋本体１の周縁部を密に抱き込むための凹所５を有すると共に、その長手方向外縁部６に所定の幅でヒレ７を連続して突成してある。このヒレ７はエッジプロテクター２の成形の際に同時に押出成形されるものであって、エッジプロテクター２と同一材、すなわち常温で高い弾性を発現するエラストマーとしての合成ゴムのような高分子物質あるいは軟質合成樹脂材等によって製せられるものである。
【００１６】
エッジプロテクター２の外縁部６に突成するヒレ７と、施蓋時に浴槽上面と当接することとなるエッジプロテクター２の底面８とがなす角度は、各種実験の結果、１３０°〜１７０°の範囲内、特に１５０°とした場合が、浴槽のフランジ部上面に良好に接触できることが判明した。
【００１７】
エッジプロテクター２の外縁部６には上記したようにヒレ７のみを連設して、当該ヒレ７の自由端を施蓋時に浴槽のフランジ部上面に当接させるようにしてもよいのは勿論であるが、さらに、当該ヒレ７の先端縁に図２に示すように、膨出部９を連続して形成するようにすると浴槽上面への接触性が一層良好なものとなり、より高い断熱効果が得られる。
【００１８】
前記した膨出部９は図２及び図５に示すように断面円形状となしてもよいし、あるいは図３に示すように下面側に円弧部がくるようにした断面半球状となしてもよい。いずれにしても、ヒレ７の先端縁に膨出部９が形成されることによって、僅かではあるが重錘効果によってヒレ７が斜め下方に垂下するので、浴槽フランジ部上面に良好に接触することができるのである。
【００１９】
図４及び図５により、使用状態につき説明すれば、先ず、エッジプロテクター２の外縁部６にヒレ７のみを連設した実施形態の場合、不使用時（図４Ａ）にはヒレ７は斜め下方を向いている。そして、施蓋時（図４Ｂ）において、エッジプロテクター２と浴槽１０の間に比較的大きな隙間１１が生じたとしても、エッジプロテクター２の外縁部６に突成してあるヒレ７の自由端１２が浴槽１０の上面に接触して湯気の散逸を防ぐことができる。
【００２０】
また、施蓋時において、エッジプロテクター２と浴槽１０の間にほんの僅かな隙間１１が生じたとしても、エラストマー等によって製せられたヒレ７は自在に変形して浴槽１０の上面に密着し（図４Ｃ）、外気が入るのを防ぐことができる。
【００２１】
次に、ヒレ７の先端縁に膨出部９を連続して形成した実施形態の場合、不使用時（図５Ａ）には膨出部９は斜め下方を向いている。そして、施蓋時（図５Ｂ）において、エッジプロテクター２と浴槽１０の間に比較的大きな隙間１１が生じたとしても、エッジプロテクター２の外縁部６に突成してあるヒレ７の先端に形成してある膨出部９が浴槽１０のフランジ部上面に接触して隙間１１を塞ぐことができる。
【００２２】
また、施蓋時において、エッジプロテクター２と浴槽１０の間にほんの僅かな隙間１１が生じた場合、エラストマー等によって製せられたヒレ７の先端の膨出部９が浴槽１０の上面に密着すると共に、外縁部６と膨出部９を繋ぐヒレ７も浴槽１０の上面に当接して（図５Ｃ）、隙間１１を完璧に塞ぐことができ、外気の侵入を防ぐことができる。
【００２３】
なお、本発明に係る浴槽蓋は、主に２枚一組、あるいは３枚一組というように複数枚の薄板状パネルを組み合わせて使用する所謂組合せ式浴槽蓋を対象としたものであるが、薄板状をなす蓋本体の外周縁にエッジプロテクターを嵌着する浴槽蓋であれば、組合せ式でなくても一枚の蓋本体で浴槽上面を覆うようにしたものであっても本発明を適用できるのは云うまでもない。
【００２４】
このように、本発明エッジプロテクターはその長手方向外縁部にヒレを連続して突成すると共に、当該ヒレの先端部に膨出部を形成したものであり、浴槽上面との接触性を高めることができ、当該エッジプロテクターを薄板状をなす蓋本体の外周縁全体に嵌着することによって浴槽蓋の断熱性能を従来より格段に向上させることができる。
【図面の簡単な説明】
【００２５】
【図１】本発明浴槽蓋の一実施形態を示す部分斜視図である。
【図２】図１のＡ−Ａ線断面図である。
【図３】エッジプロテクターの他の実施形態を示す断面図である。
【図４】ヒレ付きエッジプロテクターを用いた浴槽蓋の使用例を示す断面図である。
【図５】ヒレの先端に膨出部を形成したエッジプロテクターを用いてなる浴槽蓋の使用例を示す断面図である。
【符号の説明】
【００２６】
１：蓋本体
２：エッジプロテクター
３：断熱芯材
４：化粧板
５：凹所
６：外縁部
７：ヒレ
８：底面
９：膨出部
１０：浴槽
１１：隙間
１２：自由端
【図１】
0004743695.tif 000002
【図２】
0004743695.tif 000003
【図３】
0004743695.tif 000004
【図４】
0004743695.tif 000005
【図５】
0004743695.tif 000006